(57)【要約】【課題】  メダルから除去されたゴミと洗浄水の排出効率を向上する。【解決手段】  上下対に配置された上側ブラシ盤４と下側ブラシ盤５を相対回転させてその各ブラシ毛４ｂ，５ａ間に洗浄水Ｗとともに投入されたメダルｍを連続的に洗浄研磨して排出するメダル洗浄研磨装置において、前記筒体内周面の一部を下側ブラシ盤のブラシ毛先端部と近接させ、同近接箇所から下方の筒体内周面を拡径し、下側ブラシ盤５外周部のブラシ毛５ａ下部及び下側ブラシ盤５外周面と筒体６内周面との間にメダルｍから除去されたゴミを下方へ排出させるに充分な所定間隔の排出路６ｇを形成した。【選択図】図１１
2005102787.tif 000002
【特許請求の範囲】
【請求項１】
下面にブラシ毛を植毛した上側ブラシ盤と上面にブラシ毛を植毛した下側ブラシ盤を各ブラシ毛が対向するように所定間隔おいて設け、同各ブラシ毛間にメダルを投入するメダル投入口を設け、各ブラシ盤の外周及び下側ブラシ盤の下方を囲む筒体を設け、同筒体に各ブラシ盤間のメダルを排出するメダル排出口を設け、各ブラシ盤の両方を相対的に又は下側ブラシ盤を回転させる回転駆動手段を設け、各ブラシ盤のブラシ毛が対向する部分に洗浄水を給水する給水手段を設け、メダルを濡らした状態で各ブラシ盤を相対的に回転させて洗浄研磨するようにしたメダル洗浄研磨装置において、前記筒体内周面の一部を下側ブラシ盤のブラシ毛先端部と近接させ、同近接箇所から下方の筒体内周面を拡径し、下側ブラシ盤外周部のブラシ毛下部及び下側ブラシ盤外周面と筒体内周面との間にメダルから除去されたゴミを下方へ排出させるに充分な間隔の排出路を形成したことを特徴とするメダル洗浄研磨装置。
【請求項２】
下側ブラシ盤の外周面と筒体の拡径した内周面との間の水平距離を６ｍｍ以上とした請求項１記載のメダル洗浄研磨装置。
【請求項３】
下側ブラシ盤外周部の盤面と筒体の拡径開始位置との高低差を８ｍｍ以上とした請求項１又は２記載のメダル洗浄研磨装置。
【請求項４】
下側ブラシ盤の外周面と筒体の拡径した内周面との間の水平距離を１０ｍｍ以上とし、下側ブラシ盤外周部の盤面と筒体の拡径開始位置との高低差を１０ｍｍ以上とした請求項１記載のメダル洗浄研磨装置。
【請求項５】
下側ブラシ盤の上面に溝状の非植毛部を半径方向へ伸びるように外周端まで形成し、メダルから除去したゴミを非植毛部から排出させるようにしてブラシ毛への引っ掛かりを低減できるようにした請求項１〜４いずれか記載のメダル洗浄研磨装置。
【請求項６】
非植毛部を放射状に設けた請求項５記載のメダル洗浄研磨装置。
【請求項７】
非植毛部の幅が５〜１５ｍｍの範囲である請求項５又は６記載のメダル洗浄研磨装置。
【請求項８】
下側ブラシ盤の上面にブラシ毛を植毛せずに摩擦係数の大きい軟質シートを中央部と同中央部から半径方向へ伸びるように外周端まで設け、軟質シートの摩擦でメダルを滑りなく移送して排出できるようにした請求項１〜７いずれか記載のメダル洗浄研磨装置。
【請求項９】
軟質シートの厚みがブラシ毛の高さより厚いものである請求項８記載のメダル洗浄研磨装置。
【請求項１０】
軟質シートの上面に排水溝を下側ブラシ盤の外周端まで形成し、給水された余剰分の洗浄水を排水溝を通じて下側ブラシ盤の外周端から排水させるようにした請求項８又は９記載のメダル洗浄研磨装置。
【請求項１１】
排水溝が、その溝深さが下側ブラシ盤の外周端へ向かって深くなるように形成したものである請求項１０記載のメダル洗浄研磨装置。
【請求項１２】
排水溝の断面形状がＶ字状である請求項１０又は１１記載のメダル洗浄研磨装置。
【請求項１３】
メダル排出口の近傍に上下一対の吸水ローラを設け、同吸水ローラの一部を押圧して吸水した洗浄水を絞出する絞りローラを設け、洗浄研磨されたメダルから洗浄水を吸水除去しながら送り出せるようにした請求項１〜１２いずれか記載のメダル洗浄研磨装置。
【請求項１４】
筒体の内周面を内側へ張り出させてブラシ毛と同じ高さのメダル受棚をブラシ毛の直近位置に形成し、遠心力で外周方向へ移行したメダルをメダル受棚で保持して下側ブラシ盤と筒体内周面との間の隙間に噛み込み難くした請求項１〜１３いずれか記載のメダル洗浄研磨装置。
【請求項１５】
メダル受棚の上方に張出部をその下面がメダルの厚さより高く且つ２枚のメダルの総厚より低い位置に来るように筒体の内周に沿って設け、同張出部と筒体内周面とメダル受棚とでメダル収納溝を形成し、同メダル収納溝でメダルが重ならないように拘束しながら洗浄研磨できるようにした請求項１４記載のメダル洗浄研磨装置。
【請求項１６】
メダル受棚の角部を丸く又は斜めに形成し、メダルがメダル受棚へ移行し易いようにした請求項１４又は１５記載のメダル洗浄研磨装置。
【発明の詳細な説明】
【技術分野】
【０００１】
本発明は、遊技用のメダル・硬貨（以下メダルと総称する）の表面を自動的に洗浄研磨して油・脂・ゴミ・汚れを除去するメダル洗浄研磨装置に関し、詳しくはメダルから除去されたゴミがブラシ毛に引っ掛かることなく洗浄水とともに円滑に排出できるようにする技術に関する。
【背景技術】
【０００２】
従来、メダル洗浄研磨装置としては、図１５に示すように下面にブラシ毛２４ａを植毛した固定の上側ブラシ盤２４と上面にブラシ毛２５ａを植毛した回転自在の下側ブラシ盤２５を各ブラシ毛２４ａ，２５ａが対向するように所定間隔おいて設け、各ブラシ盤２４，２５間にメダルｍを投入するメダル投入口２２を設け、各ブラシ盤２４，２５の外周及び下側ブラシ盤２５の下方を囲む筒体２６を設け、筒体２６に各ブラシ盤２４，２５間のメダルｍを排出するメダル排出口２７を設け、下側ブラシ盤２５を回転させるモータ３０を設け、各ブラシ毛２４ａ，２５ａの対向部分に洗浄水Ｗを給水する給水管３４を設け、メダルｍを濡らした状態で下側ブラシ盤２５を回転させて自動的に洗浄研磨するようにした構造のものが知られている（例えば特許文献１参照）。
【０００３】
ところで、前記構造のメダル洗浄研磨装置は、メダルｍが下側ブラシ盤２５の外周面と筒体２６の内周面との間に噛み込まないように隙間をできるかぎり小さくしているから、メダルｍから除去されたゴミや洗浄水Ｗの排出効率が悪く、ゴミがブラシ毛２５ａの根元に溜まって、洗浄研磨力の低下や故障を招いたり、分解整備の頻度が増してメンテナンスコストを上昇させてしまう問題があった。
【特許文献１】特開２００１−１１３０２５号公報
【発明の開示】
【発明が解決しようとする課題】
【０００４】
本発明が解決しようとする課題は、従来のこれらの問題点を解消し、メダルから除去されたゴミが下側ブラシ盤に溜まることなく洗浄水とともに円滑に排出できるメダル洗浄研磨装置を提供することにある。
【課題を解決するための手段】
【０００５】
かかる課題を解決した本発明の構成は、
１）  下面にブラシ毛を植毛した上側ブラシ盤と上面にブラシ毛を植毛した下側ブラシ盤を各ブラシ毛が対向するように所定間隔おいて設け、同各ブラシ毛間にメダルを投入するメダル投入口を設け、各ブラシ盤の外周及び下側ブラシ盤の下方を囲む筒体を設け、同筒体に各ブラシ盤間のメダルを排出するメダル排出口を設け、各ブラシ盤の両方を相対的に又は下側ブラシ盤を回転させる回転駆動手段を設け、各ブラシ盤のブラシ毛が対向する部分に洗浄水を給水する給水手段を設け、メダルを濡らした状態で各ブラシ盤を相対的に回転させて洗浄研磨するようにしたメダル洗浄研磨装置において、前記筒体内周面の一部を下側ブラシ盤のブラシ毛先端部と近接させ、同近接箇所から下方の筒体内周面を拡径し、下側ブラシ盤外周部のブラシ毛下部及び下側ブラシ盤外周面と筒体内周面との間にメダルから除去されたゴミを下方へ排出させるに充分な間隔の排出路を形成したことを特徴とするメダル洗浄研磨装置
２）  下側ブラシ盤の外周面と筒体の拡径した内周面との間の水平距離を６ｍｍ以上とした前記１）記載のメダル洗浄研磨装置
３）  下側ブラシ盤外周部の盤面と筒体の拡径開始位置との高低差を８ｍｍ以上とした前記１）又は２）記載のメダル洗浄研磨装置
４）  下側ブラシ盤の外周面と筒体の拡径した内周面との間の水平距離を１０ｍｍ以上とし、下側ブラシ盤外周部の盤面と筒体の拡径開始位置との高低差を１０ｍｍ以上とした前記１）記載のメダル洗浄研磨装置
５）  下側ブラシ盤の上面に溝状の非植毛部を半径方向へ伸びるように外周端まで形成し、メダルから除去したゴミを非植毛部から排出させるようにしてブラシ毛への引っ掛かりを低減できるようにした前記１）〜４）いずれか記載のメダル洗浄研磨装置
６）  非植毛部を放射状に設けた前記５）記載のメダル洗浄研磨装置
７）  非植毛部の幅が５〜１５ｍｍの範囲である前記５）又は６）記載のメダル洗浄研磨装置
８）  下側ブラシ盤の上面にブラシ毛を植毛せずに摩擦係数の大きい軟質シートを中央部と同中央部から半径方向へ伸びるように外周端まで設け、軟質シートの摩擦でメダルを滑りなく移送して排出できるようにした前記１）〜７）いずれか記載のメダル洗浄研磨装置
９）  軟質シートの厚みがブラシ毛の高さより厚いものである前記８）記載のメダル洗浄研磨装置
１０）  軟質シートの上面に排水溝を下側ブラシ盤の外周端まで形成し、給水された余剰分の洗浄水を排水溝を通じて下側ブラシ盤の外周端から排水させるようにした前記８）又は９）記載のメダル洗浄研磨装置
１１）  排水溝が、その溝深さが下側ブラシ盤の外周端へ向かって深くなるように形成したものである前記１０）記載のメダル洗浄研磨装置
１２）  排水溝の断面形状がＶ字状である前記１０）又は１１）記載のメダル洗浄研磨装置
１３）  メダル排出口の近傍に上下一対の吸水ローラを設け、同吸水ローラの一部を押圧して吸水した洗浄水を絞出する絞りローラを設け、洗浄研磨されたメダルから洗浄水を吸水除去しながら送り出せるようにした前記１）〜１２）いずれか記載のメダル洗浄研磨装置
１４）  筒体の内周面を内側へ張り出させてブラシ毛と同じ高さのメダル受棚をブラシ毛の直近位置に形成し、遠心力で外周方向へ移行したメダルをメダル受棚で保持して下側ブラシ盤と筒体内周面との間の隙間に噛み込み難くした前記１）〜１３）いずれか記載のメダル洗浄研磨装置
１５）  メダル受棚の上方に張出部をその下面がメダルの厚さより高く且つ２枚のメダルの総厚より低い位置に来るように筒体の内周に沿って設け、同張出部と筒体内周面とメダル受棚とでメダル収納溝を形成し、同メダル収納溝でメダルが重ならないように拘束しながら洗浄研磨できるようにした前記１４）記載のメダル洗浄研磨装置
１６）  メダル受棚の角部を丸く又は斜めに形成し、メダルがメダル受棚へ移行し易いようにした前記１４）又は１５）記載のメダル洗浄研磨装置
にある。
【発明の効果】
【０００６】
本発明では、給水手段で各ブラシ毛の対向部分に洗浄水を給水し、回転駆動手段で各ブラシ盤を相対的に又は一方を回転させる。この状態でメダルをメダル投入口を通じて各ブラシ盤間に投入すると、メダルは洗浄水に濡れて各ブラシ毛で洗浄研磨されながら遠心力を受けて筒体の内周に沿って移行する。
【０００７】
メダルから除去されたゴミはブラシ毛の根元へ落下後、洗浄水とともに回転による遠心力で外周方向へ徐々に移行し、排出路を通じて下側ブラシ盤の下方へ落下して排出される。従って、ゴミがブラシ毛に溜まり難くなるから、洗浄研磨力を長期に渡って維持できるとともに分解整備の頻度も少なくなってメンテナンスコストが低減できるようになり、またメダルは排出路上方のブラシ毛上に位置するから、噛み込みや落下を生じることがなく、機器の停止頻度及び故障が低減する。
【発明を実施するための最良の形態】
【０００８】
本発明の各ブラシ盤の回転としては、下側ブラシ盤のみを回転させる方法、上側ブラシ盤と下側ブラシ盤をそれぞれ異なる方向へ回転させる方法、上側ブラシ盤と下側ブラシ盤を異なる速度で同方向へ回転させる方法があり、少なくとも上下のブラシ毛で相対的な摩擦を生じさせる回転であればよい。
【０００９】
給水手段としては、メダル投入口からメダルの投入と同時に給水する構造が一般的であるが、各ブラシ盤のブラシ毛の植毛部分から吐水させる構造もあり、洗浄水をムラなく給水できて好ましい。洗浄水としては水又は水に洗浄剤を所要量混合させたものが一般的に用いられる。
【００１０】
各ブラシ盤のブラシ毛は、ブラシ盤に同長さのものを面状となるように植毛したものや異なる長さのものを用いて凹凸となるように植毛したものなど、ブラシ状となるものであれば形状，ブラシ毛の太さ，材質は問わないが、メダル両面の油・脂・ゴミ・汚れを確実に除去し、しかもメダルの表面を傷付けにくいものが望ましい。
【００１１】
軟質シートとしては、洗浄水で濡れても摩擦が低減し難い材質が望ましく、例えばウレタン樹脂等が用いられ、ブラシ毛の長さ（高さ）より０．２〜０．５ｍｍ突出する厚さにしてメダルが軟質シートと確実に当接できるようにする。軟質シートは中心部から半径方向に沿って外周端まで設けるが、複数本放射状に設けてメダルとの当接回数を増やし、送り出し速度をより速めてもよい。
【００１２】
本発明のメダル洗浄研磨装置は、単体で用いてもよいし、乾燥装置や吸水装置等他の装置と連結させて設備として用いてもよい。以下、本発明の実施例を図面に基づいて具体的に説明する。
【実施例１】
【００１３】
図１は実施例のメダル洗浄研磨装置の縦断面図、図２は実施例のメダル洗浄研磨装置の分解斜視図、図３，４は実施例の排出路の説明図、図５は実施例の下側ブラシ盤の平面図、図６は図５のＡ−Ａ断面図、図７は図５のＢ−Ｂ断面図、図８は実施例の吸水部の斜視図、図９〜１３は実施例のメダル洗浄研磨装置の使用状態を示す説明図である。
【００１４】
図中、１はカバー、２はメダル投入口、３は環状体、４は上側ブラシ盤、４ａはメダル取入口、４ｂはブラシ毛、５は下側ブラシ盤、５ａはブラシ毛、５ｂは非植毛部、５ｃは軟質シート、５ｄは排水溝、６は筒体、６ａは排水孔、６ｂは排水路、６ｃはメダル受棚、６ｄは張出部、６ｅは収納溝、６ｆは曲面部、６ｇは排出路、６ｈは傾斜面、７はメダル排出口、８は回転軸、８ａは従動ローラ、９はベアリング、１０はモータ、１０ａは駆動ローラ、１１は駆動ベルト、１２は貯水タンク、１３は給水ポンプ、１４は給水管、１４ａは吐水口、１５はキャビネット、１５ａはメダル排出口、１６は吸水ローラ、１６ａはギヤ、１７は絞りローラ、１７ａはギヤ、１７ｂは小ギヤ、１８は排水路、１９はモータ、１９ａはギヤ、２０は駆動チェーン、Ｄはゴミ、Ｈ，Ｌは路幅、Ｋは隙間、ｍはメダル、Ｗは洗浄水である。
【００１５】
本実施例のメダル洗浄研磨装置は、図１，２に示すように錐体状のメダル投入口２が形成されたカバー１に環状体３を介して下面にブラシ毛４ｂが植毛された上側ブラシ盤４をそのメダル取入口４ａとメダル投入口２とが連通するように取り付け、その下方同軸に下側ブラシ盤５を回転自在に軸支している。
【００１６】
カバー１の下方には下面に排水孔６ａと側面にメダル排出口７を備えた筒体６を上側ブラシ盤４の外周面と下側ブラシ盤５の外周面及び下方を囲むように設け、図３，４に示すように下側ブラシ盤５のブラシ毛５ａ高さと同じ高さのメダル受棚６ｃを筒体６の内周面に沿って水平に形成し、そのメダル受棚６ｃをブラシ毛５ａの長さより薄くして筒体６の内周面と下側ブラシ盤５の外周端との間に５ｍｍの隙間Ｋを形成し、さらにメダル受棚６ｃの上方に張出部６ｄをその下面がメダル受棚６ｃの上面からメダルｍの厚さより高く且つ２枚のメダルの総厚より低い位置に来るように筒体６の内周に沿って設け、張出部６ｄと筒体６の内周面とメダル受棚６ｃとでメダル収納溝６ｅを形成し、しかもメダル受棚６ｃの角部を丸くして曲面部６ｆを形成している。
【００１７】
また、筒体６には下側ブラシ盤５のブラシ毛５ａ先端部下から下方の筒体６の内周面の内径を拡径し、下側ブラシ盤５外周部のブラシ毛５ａ下部及び下側ブラシ盤５の外周面と筒体６の内周面との間にメダルｍから除去されたゴミＤ・洗浄水Ｗ及び混入したナット・ビス・ワッシャ等を下方へ排出させる排出路６ｇを形成し、下側ブラシ盤５の外周面と筒体６の内周面との間の排出路６ｇの路幅Ｌ（水平距離）を１４．５ｍｍにし、下側ブラシ盤５の盤面と排出路６ｇの上端面との間の路幅Ｈ（高低差）を９．３ｍｍにしている。メダル排出口７側のメダル受棚６ｃの先端部には傾斜面６ｈを形成し、外周方向へ飛散する洗浄水Ｗを傾斜面６ｈに当てて下方へ受け流すようにしている。
【００１８】
下側ブラシ盤５は、図５〜７に示すように上面に薄い帯状の軟質シート５ｃを中央部と同中央部から半径方向へ沿って外周端まで放射状に設け、軟質シート５ｃの外周近傍面から外周端に渡って深さが外周側へ向かって深くなる断面Ｖ字状の排水溝５ｄを３本ずつ形成している。軟質シート５ｃ以外の部分に同軟質シート５ｃとの高低差が０．５ｍｍとなる長さのブラシ毛５ａを植毛し、しかも幅が１０ｍｍの溝状の非植毛部５ｂを各植毛部分毎に２本ずつ半径方向へ伸びるように外周端まで形成している。
【００１９】
下側ブラシ盤５の下面には従動ローラ８ａが軸着された回転軸８を垂設してベアリング９で軸支し、従動ローラ８ａと隣設したモータ１０の駆動ローラ１０ａとの間に駆動ベルト１１を掛架し、筒体６の排水孔６ａから通じる排水路６ｂの下方に洗浄水Ｗを貯水する貯水タンク１２を設け、貯水タンク１２内の洗浄水Ｗを送り出す給水ポンプ１３を取り付け、給水ポンプ１３で送り出された洗浄水Ｗを上方へ送水する給水管１４を配管し、給水管１４の上端部を下方へ折曲して洗浄水Ｗをメダル投入口２へ吐水する吐水口１４ａを形成している。
【００２０】
筒体６のメダル排出口７の隣接位置には、排出されたメダルｍを上下から押圧して残った水滴を吸水しながら送り出すスポンジからなる一対の吸水ローラ１６を２組軸支し、下側の吸水ローラ１６の下方に吸水ローラ１６が吸水した洗浄水Ｗを絞出する硬質のプラスチックからなる絞りローラ１７を吸水ローラ１６へ押接して軸支し、各吸水ローラ１６と各絞りローラ１７にギヤ１６ａ，１７ａ，小ギヤ１７ｂを軸着して各ギヤ１６ａ，１７ａ同士を歯合し、各小ギヤ１７ｂとモータ１９の出力軸に軸着したギヤ１９ａとの間に駆動チェーン２０を掛架して連動できるようにし、絞りローラ１７で絞出して落下した洗浄水Ｗを貯水タンク１２へ排水する排水路１８を設けている。
【００２１】
本実施例では、図９に示すようにモータ１０を作動させると駆動ベルト１１で駆動力を回転軸８に伝達して下側ブラシ盤５を回転させる。貯水タンク１２には洗浄水Ｗを貯水しており、給水ポンプ１３を作動させると洗浄水Ｗは給水管１４を通じて吐水口１４ａよりメダル投入口２へ吐水されて上側ブラシ盤４のメダル取入口４ａから各ブラシ毛４ｂ，５ａ間に流入し、下側ブラシ盤５と筒体６との間の隙間Ｋから筒体６の底部に流れ落ちて排水孔６ａから排水路６ｂを通じて貯水タンク１２に回収され、再び給水して循環する。
【００２２】
この状態でメダルｍをメダル投入口２に投入すると、メダルｍはメダル取入口４ａを通じて下側ブラシ盤５上に落下し、各ブラシ毛４ｂ，５ａと洗浄水Ｗとで両面が洗浄研磨されながら図１０に示すように下側ブラシ盤５の回転とその遠心力で外周方向へ移行し、図１１に示すように下側ブラシ盤５と筒体６の内周面との間の隙間Ｋ上を越えてメダル受棚６ｃ上に載り、洗浄研磨時に遠心力でメダルｍの外周縁がメダル収納溝６ｅに挿入してメダルｍが重ならないように拘束しながら筒体６の内周に沿って移行させ、メダルｍの両面を確実に洗浄研磨する。
【００２３】
その後、メダルｍは下側ブラシ盤５の半径方向に沿って設けられた軟質シート５ｃと当接し、その摩擦でメダルｍがメダル排出口７へ滑りなく迅速に移送され、図１２に示すように油・脂・ゴミＤ・汚れが除去されたメダルｍがメダル排出口７から排出され、除去した油・脂・ゴミＤ・汚れは洗浄水Ｗとともに排水孔６ａから貯水タンク１２へ排水される。メダル排出口７から排出されたメダルｍはさらに一対の吸水ローラ１６で表面に残った洗浄水Ｗの水滴が吸水除去されながらメダル排出口１５ａへ送り出され洗浄研磨が完了する。
【００２４】
ここで、従来ではメダルｍが下側ブラシ盤５の外周面と筒体６の内周面との間に噛み込まないように隙間をできるかぎり小さくしているから、メダルｍから除去されたゴミや洗浄水Ｗの排出効率が悪く、ゴミがブラシ毛５ａの根元に溜まって洗浄研磨力の低下や故障を招いたり分解整備の頻度が増してメンテナンスコストを上昇させてしまうことがあった。しかし、本実施例によれば、メダルｍから除去されたゴミＤはブラシ毛５ａの根元へ落下後、図１１〜１３に示すように洗浄水Ｗとともに回転による遠心力で非植毛部５ｂへ徐々に移行し、非植毛部５ｂを通じて拡幅された排出路６ｇから詰まることなく下方へ落下して円滑に排出される。
【００２５】
従って、ゴミＤがブラシ毛５ａの根元に溜まり難くなるから、洗浄研磨力を長期に渡って維持できるとともに故障が少なくなり、分解整備の頻度も少なくなってメンテナンスコストが低減できるようになった。また、メダルｍはメダル受棚６ｃで保持されて噛み込みは発生せず、さらに、余剰分の洗浄水ＷはＶ字状の排水溝５ｄで遠心力により効率的に排水され、給水量の低減と軟質シート５ｃの摩擦力の保持も図ることができた。
【００２６】
図１４に示すのは実施例の排出路の他の例である。図１４は実施例の他の例の排出路の説明図である。図１４に示す排出路６ｇは、筒体６の拡径部分を斜めにして傾斜面６ｈを形成し、外周方向へ飛散する洗浄水Ｗ及びゴミＤを傾斜面６ｈに当てて下方へ円滑に排出できるようにしている。その他、符号、構成は実施例と同じである。
【産業上の利用可能性】
【００２７】
本発明のメダル洗浄研磨装置は、メダルや硬貨の他、類似する形状の物品の洗浄研磨にも適用可能である。
【図面の簡単な説明】
【００２８】
【図１】実施例のメダル洗浄研磨装置の縦断面図である。
【図２】実施例のメダル洗浄研磨装置の分解斜視図である。
【図３】実施例の排出路の説明図である。
【図４】実施例の排出路の説明図である。
【図５】実施例の下側ブラシ盤の平面図である。
【図６】図５のＡ−Ａ断面図である。
【図７】図５のＢ−Ｂ断面図である。
【図８】実施例の吸水部の斜視図である。
【図９】実施例のメダル洗浄研磨装置の使用状態を示す説明図である。
【図１０】実施例のメダル洗浄研磨装置の使用状態を示す説明図である。
【図１１】実施例のメダル洗浄研磨装置の使用状態を示す説明図である。
【図１２】実施例のメダル洗浄研磨装置の使用状態を示す説明図である。
【図１３】実施例のメダル洗浄研磨装置の使用状態を示す説明図である。
【図１４】実施例の他の例の排出路の説明図である。
【図１５】従来のメダル洗浄研磨装置の縦断面図である。
【符号の説明】
【００２９】
１  カバー
２  メダル投入口
３  環状体
４  上側ブラシ盤
４ａ  メダル取入口
４ｂ  ブラシ毛
５  下側ブラシ盤
５ａ  ブラシ毛
５ｂ  非植毛部
５ｃ  軟質シート
５ｄ  排水溝
６  筒体
６ａ  排水孔
６ｂ  排水路
６ｃ  メダル受棚
６ｄ  張出部
６ｅ  収納溝
６ｆ  曲面部
６ｇ  排出路
６ｈ  傾斜面
７  メダル排出口
８  回転軸
８ａ  従動ローラ
９  ベアリング
１０  モータ
１０ａ  駆動ローラ
１１  駆動ベルト
１２  貯水タンク
１３  給水ポンプ
１４  給水管
１４ａ  吐水口
１５  キャビネット
１５ａ  メダル排出口
１６  吸水ローラ
１６ａ  ギヤ
１７  絞りローラ
１７ａ  ギヤ
１７ｂ  小ギヤ
１８  排水路
１９  モータ
１９ａ  ギヤ
２０  駆動チェーン
２２  メダル投入口
２４  上側ブラシ盤
２４ａ  ブラシ毛
２５  下側ブラシ盤
２５ａ  ブラシ毛
２６  筒体
２７  メダル排出口
３０  モータ
３４  給水管
Ｄ  ゴミ
Ｈ，Ｌ  路幅
Ｋ  隙間
ｍ  メダル
Ｗ  洗浄水
【図１】
2005102787.tif 000003
【図２】
2005102787.tif 000004
【図３】
2005102787.tif 000005
【図４】
2005102787.tif 000006
【図５】
2005102787.tif 000007
【図６】
2005102787.tif 000008
【図７】
2005102787.tif 000009
【図８】
2005102787.tif 000010
【図９】
2005102787.tif 000011
【図１０】
2005102787.tif 000012
【図１１】
2005102787.tif 000013
【図１２】
2005102787.tif 000014
【図１３】
2005102787.tif 000015
【図１４】
2005102787.tif 000016
【図１５】
2005102787.tif 000017